(57)【要約】【課題】天板の下面の高さ位置をほぼ同一にして、複数の収納家具を上下に積み重ねて使用する場合、上方に位置する収納部本体の前面が開放された状態であっても、煩雑な印象を与えることがない収納家具の天板を提供する。【解決手段】所定の収納空間Ｓを形成する収納部本体１の天板４であって、天板４が、収納部本体１の上面を形成する本体板６１及びこの本体板６１の下面側の一部に下方へ突出させて設けられる補強部６２、６３とを有する天板本体６と、本体板６１の下面側に取り付けられる内パネル７とを具備するものであり、内パネル７の下面７１ａと補強部６２、６３の下面６２ａ、６３ａとを略面一とした状態で内パネル７を天板本体６に取り付けた。【選択図】図６
2004261388.tif 000002
【特許請求の範囲】
【請求項１】
収納庫やロッカー等の収納家具において、所定の収納空間を形成する収納部本体の天板であって、
前記天板が、前記収納部本体の上面を形成する本体板及びこの本体板の下面側の一部に下方へ突出させて設けられる補強部とを有する天板本体と、前記本体板の下面側に取り付けられる内パネルとを具備するものであり、
前記内パネルの下面と補強部の下面とを略面一とした状態で内パネルを天板本体に取り付けていることを特徴とする収納家具の天板。
【請求項２】
前記補強部を、前記本体板の対向する一対の縁部に沿う位置にそれぞれ設け、これら補強部間に凹部を形成し、該凹部内に前記内パネルを収容した位置において内パネルを天板本体に取り付けた状態で、内パネルの下面と補強部の下面とを略同面一とした状態内パネルを天板本体に取り付けている請求項１記載の収納家具の天板。
【請求項３】
前記補強部を、前記本体板の前縁及び後縁に沿う位置にそれぞれ設け、これら補強部間に凹部を形成し、該凹部内に前記内パネルを収容した位置において内パネルを天板本体に取り付けた状態で、内パネルの下面と補強部の下面とを略面一とした状態で内パネルを天板本体に取り付けている請求項１記載の収納家具の天板。
【請求項４】
前記内パネルまたは前記補強部の一方に係合爪を形成し、この係合爪と係わり合わせるべく他方に係合孔を形成し、これら係合爪と係合孔とを係わり合わせることにより内パネルを天板本体に取り付けている請求項２又は３記載の収納家具の天板。
【請求項５】
前記内パネルが、一方の補強部に向けて突出する第１係合爪と、他方の補強部に向けて突出する第２係合爪とをそれぞれ一体的に有し、第１係合爪の突出寸法と、第２係合爪の突出寸法とを相互に異ならせている請求項４記載の収納家具の天板。
【請求項６】
前記内パネルが、一方の補強部に向けて突出する一対の第１係合爪と、他方の補強部に向けて突出する一対の第２係合爪とをそれぞれ一体的に有し、第１係合爪間の離間距離と、第２係合爪間の離間距離とを相互に異ならせている請求項４又は５記載の収納家具の天板。
【請求項７】
前記本体板の前縁及び後縁に沿ってそれぞれ補強部を設け、各補強部に前記第１係合爪及び第２係合爪何れをも係合させ得る係合孔をそれぞれ形成している請求項４、５又は６記載の収納家具の天板。
【請求項８】
前記本体板の前縁及び後縁に沿ってそれぞれ補強部を設け、前縁の補強部に、前記第１係合爪のみを係合させる第１係合孔を設けるとともに、後縁の補強部に、前記第２係合爪のみを係合させる第２係合孔を設けている請求項４、５又は６記載の収納家具の天板。
【請求項９】
前記内パネルが、パネル本体と、パネル本体の対向する一対の縁部の所定箇所に取り付けられる一組の係合板とを具備し、各係合板の端部を屈曲して前記各補強部に向けて突出させることにより一方の係合板に前記第１係合爪を形成するとともに、他方の係合板に前記第２係合爪を形成している請求項５、６、７又は８記載の収納家具の天板。
【請求項１０】
前記各係合板の両端部を屈曲して前記各補強部に向けて突出させることにより一方の係合板に前記第１係合爪を形成するとともに、他方の係合板に前記第２係合爪を形成している請求項９記載の収納家具の天板。
【請求項１１】
前記一組の係合板が、同一の構成を有する薄板状の部材からそれぞれ成形されたものである請求項９又は１０記載の収納家具の天板。
【請求項１２】
前記内パネルを前記天板本体に固定する固定手段を備えてなる請求項１、２、３、４、５、６、７、８、９、１０又は１１記載の収納家具の天板。
【請求項１３】
前記固定手段が、前記内パネルを固定している状態では内パネルの側面と前記本体板との間に形成される目地に収納される固定部材を有するものであり、該固定部材が、前記固定状態では前記目地に収納され、固定状態を解除した状態では目地から突出する把手部を有する請求項１２記載の収納家具の天板。
【請求項１４】
収納庫やロッカー等の収納家具であって、
所定の収納空間を形成する収納部本体の上面を形成する本体板と、本体板の下面側の一部に下方へ突出させて設けられる補強部とを有する天板本体と、前記本体板の下面側に取り付けられる内パネルとを備えた天板を具備するものであり、前記内パネルの下面と補強部の下面とを略面一とした状態で内パネルを天板本体に取り付けていることを特徴とする収納家具。
【請求項１５】
前記収納部本体の底板が、前記収納部本体の底面を形成する本体板及びこの本体板の上面側の一部に上方へ突出させて設けられる補強部とを有する底板本体と、前記本体板の上面側に取り付けられる内パネルとを具備するものであり、
前記内パネルの上面と補強部の上面とを略面一とした状態で内パネルを底板本体に取り付けている請求項１４記載の収納家具。
【発明の詳細な説明】
【０００１】
【発明の属する技術分野】
本発明は、収納庫やロッカー等の収納家具において、所定の収納空間を形成する収納部本体の天板、及び収納家具に関するものである。
【０００２】
【従来の技術】
従来より、収納庫やロッカー等の収納家具において、所定の収納空間を形成する収納部本体の内側面を構成する内パネルを、収納部本体の外側面を構成する板材に取り付ける態様のものが知られている。具体的には、収納具本体の側面を形成する側板本体の内面の前縁及び後縁に沿って、内方へ突出させてなる補強枠をそれぞれ設け、補強枠間に形成される凹部に、内パネルを収容した状態で、適宜箇所を溶接したり、あるいはネジや適宜の取付具を用いて内パネルを側板本体に取り付けているものが挙げられる（例えば特許文献１参照）。
【０００３】
【特許文献１】
特開２００２−１８６５３４号公報（第１〜４頁、第１図）
【０００４】
【発明が解決しようとする課題】
ところで、この種の収納家具には、側板に限らず、天板にも、その下面側の前縁及び後縁に沿って補強枠をそれぞれ設けているものがある。
【０００５】
しかしながら、天板の補強枠間に形成される凹部に、内パネル等を取り付ける構造は採用されていない。このような天板を有する収納家具を、上下方向に複数積み重ねて使用する場合、上方に位置する収納部本体の前方が開放した状態においては、前記天板の補強枠及び凹部が、凸凹状となり煩雑な印象を与え、意匠的にも好ましくない。また、収納部本体に収納した収納物を取り出す際に、収納物が前記補強枠と干渉し、収納物をスムーズに取り出すことができないという不具合が生じる。
【０００６】
本発明は、このような課題に着目してなされたものであって、主たる目的は、天板の下面の高さ位置をほぼ同一にして、複数の収納家具を上下に積み重ねて使用する場合、上方に位置する収納部本体の前面が開放された状態であっても、煩雑な印象を与えることがない収納家具の天板及び収納家具を提供することにある。
【０００７】
【課題を解決するための手段】
すなわち、本発明の収納家具の天板は、収納庫やロッカー等の収納家具において、所定の収納空間を形成する収納部本体の天板であって、前記天板が、前記収納部本体の上面を形成する本体板及びこの本体板の下面側の一部に下方へ突出させて設けられる補強部とを有する天板本体と、前記本体板の下面側に取り付けられる内パネルとを具備するものであり、前記内パネルの下面と補強部の下面とを略面一とした状態で内パネルを天板本体に取り付けていることを特徴とする。
【０００８】
このようなものであれば、複数の収納家具を上下に積み重ねて使用する場合、上方に位置する収納部本体の前面が開放した状態であっても、天板の下面がほぼ面一であるため、見えがかりが良く、煩雑な印象を与えることがない。また、例えば、内パネルを天板本体に一体的に取り付けている場合は、内パネルが天板を補強する機能を奏し、天板本体の補強部と相まって収納部本体の強度を有効に高めることも可能である。
【０００９】
特に、前記補強部を、前記本体板の対向する一対の縁部に沿う位置にそれぞれ設け、これら補強部間に凹部を形成し、この凹部内に前記内パネルを収容した位置において内パネルを天板本体に取り付けた状態で、内パネルの下面と補強部の下面とを略同一高さとなるように内パネルを天板本体に取り付けているものであれば、収納物の出し入れをスムーズに行うことができる。
【００１０】
具体的な実施態様としては、前記補強部を、前記本体板の前縁及び後縁に沿う位置にそれぞれ設け、これら補強部間に凹部を形成し、凹部内に内パネルを収容した位置において内パネルを天板本体に取り付けた状態で、前記内パネルの下面と補強部の下面とを略同一高さとなるように内パネルを天板本体に取り付けているものが挙げられる。
【００１１】
簡単な作業によって内パネルを天板本体に取り付けるには、前記内パネルまたは前記補強部の一方に係合爪を形成し、この係合爪と係わり合わせるべく他方に係合孔を形成し、これら係合爪と係合孔とを係わり合わせることにより内パネルを天板本体に取り付けるようにすればよい。
【００１２】
また、前記内パネルが、一方の補強部に向けて突出する第１係合爪と、他方の補強部に向けて突出する第２係合爪とをそれぞれ一体的に有し、第１係合爪の突出寸法と、第２係合爪の突出寸法とを相互に異ならせているものであれば、内パネルの前後を簡単かつ明確に識別することができる。
【００１３】
さらに、前記内パネルが、一方の補強部に向けて突出する一対の第１係合爪と、他方の補強部に向けて突出する一対の第２係合爪とをそれぞれ一体的に有し、第１係合爪間の離間距離と、第２係合爪間の離間距離とを相互に異ならせているものであれば、内パネルの前後をより簡単かつ明確に識別することができる。
【００１４】
係合孔の具体的態様としては、前記本体板の前縁及び後縁に沿ってそれぞれ補強部を設け、各補強部に前記第１係合爪及び第２係合爪何れをも係合させ得る係合孔をそれぞれ形成しているものや、前記本体板の前縁及び後縁に沿ってそれぞれ補強部を設け、前縁の補強部に、前記第１係合爪のみを係合させる第１係合孔を設けるとともに、後縁の補強部に、前記第２係合爪のみを係合させる第２係合孔を設けているものが挙げられる。
【００１５】
簡単な作業により係合爪を形成するためには、前記内パネルが、パネル本体と、パネル本体の対向する一対の縁部の所定箇所に取り付けられる一組の係合板とを具備し、各係合板の端部を屈曲して前記各補強部に向けて突出させることにより一方の係合板に前記第１係合爪を形成するとともに、他方の係合板に前記第２係合爪を形成すればよい。
【００１６】
特に、前記各係合板の両端部を屈曲して前記各補強部に向けて突出させることにより一方の係合板に前記第１係合爪を形成するとともに、他方の係合板に前記第２係合爪を形成しているものが好ましい。
【００１７】
前記一組の係合板が、同一の構成を有する薄板状の部材からそれぞれ成形されたものであれば、各係合板を同じパーツを共用することができる。
【００１８】
また、前記内パネルを前記天板本体に固定する固定手段を備えていれば、良好な取付状態を実現することができる。
【００１９】
固定手段の具体的態様としては、前記内パネルを固定している状態では内パネルの側面と前記本体板との間に形成される目地に収納される固定部材を有するものであり、この固定部材が、前記固定状態では前記目地に収納され、固定状態を解除した状態では目地から突出される把手部を有することが挙げられる。
【００２０】
また、本発明の収納家具は、収納庫やロッカー等の収納家具であって、所定の収納空間を形成する収納部本体の上面を形成する本体板と、本体板の下面側の一部に下方へ突出させて設けられる補強部とを有する天板本体と、前記本体板の下面側に取り付けられる内パネルとを備えた天板を具備するものであり、前記内パネルの下面と補強部の下面とを略面一とした状態で同一高さとなるように内パネルを天板本体に取り付けていることを特徴とする。
【００２１】
このようなものであれば、前述した通り、複数の収納家具を上下に積み重ねて使用する場合、天板の下面が略フラットな面になっているため、煩雑な印象を与えることなく、良好な美観を醸し出すことができる。
【００２２】
また、前記収納部本体の底板が、前記収納部本体の底面を形成する本体板及びこの本体板の上面側の一部に上方へ突出させて設けられる補強部とを有する底板本体と、前記本体板の上面側に取り付けられる内パネルとを具備するものであり、前記内パネルの上面と補強部の上面とを略面同一とした状態で内パネルを底板本体に取り付けているものであれば、天板の下面のみならず底板の上面の見えがかりをも良好なものとすることができる。
【００２３】
【発明の実施の形態】
以下、本発明の一実施形態を、図面を参照して説明する。
【００２４】
本実施形態に係る収納庫Ｌは、図１、図２等に図示するように、所定の収納空間Ｓを形成する収納部本体１と、この収納部本体１の前面開口を回転して開閉可能とする左右の扉Ｄ１、Ｄ２とを備えてなるものである。
【００２５】
先ず、この左右の扉Ｄ１、Ｄ２について簡単に説明しておくと、この扉Ｄ１、Ｄ２は、図１、図２及び図８に示すように、固定端である側板２側に設けたヒンジ機構Ｈを利用して回転する観音開き式の回転扉であり、主として前面側を構成する前枠材と、主として後面側を構成する後枠材とを樹脂製の適宜の取付部材を用いて組み合わせて成形してなる正面視矩形状のものである。また、右扉Ｄ２の自由端側の縁部に沿って略全域に亘って設けた引手Ｔと、引手Ｔの上下端部近傍において右扉Ｄ２を収納部本体１の一部に係留する一対のラッチ機構Ｒとを備えている。引手Ｔは、例えば合成樹脂素材を押し出し成形してなり、上端から下端に亘って前面側に開口する操作部を一体に形成したものである。操作部は、その一部に指先を掛けて操作できるように標準的な成人の指先が十分に入るスペースを有するものである。このような構成を有する引手Ｔの操作によって、各々のラッチ機構Ｒを同期作動可能に連結している。なお、図２は、収納庫Ｌを下方から見た斜視図であり、図８は、収納庫Ｌを上方から見た斜視図である。また図２及び図８においては、左扉を省略している。
【００２６】
収納具本体１は、図１及び図２等に図示するように、左右に離間して設けた一対の側板２と、両側板２の後端部間に設けた背板３と、両側板２の上端部間及び下端部間に架け渡して設けた天板４及び底板５とを篭形に組み上げ、前方を開放させた収納空間Ｓを形成しているものである。なお、説明の便宜上、以下の説明においては、開放させている一端を前縁（前縁部）とし、背板３が位置する一端を後縁（後縁部）とする。
【００２７】
側板２は、例えばスチール素材を折り曲げて成形してなるものであり、収納具本体１の側面を形成する側板本体２１と、側板本体２１の内面側において前縁及び後縁に沿って設けた補強部２２とを一体的に備え、補強部２２間に形成された凹部に内パネル２３を収容した状態で取り付けてなるものである。
【００２８】
背板３は、例えばスチール素材等を折り曲げて成形してなるものであり、正面視略矩形状をなすものである。
【００２９】
しかして本実施形態に係る天板４は、主として、天板本体６と、内パネル７とを具備してなるものである。
【００３０】
詳述すると、天板本体６は、収納部本体１の上面を形成するものであり、平板部６１ａ及び平板部６１ａの各縁部を内方へ折り返して折曲部６１ｂを有する本体板６１と、この本体板６１の下面側において前縁及び後縁に沿って下方へ突出させて設けられる一対の補強部６２、６３とを有する（図６参照）。
【００３１】
各補強部６２、６３は、側面視略上向きコ字形状の補強部本体６２ａ、６３ａを有し、各補強部本体６２ａ、６３ａの一端を前記本体板６１の平板部６１ａに当たる位置まで延ばし、さらにその位置から平板部６１ａに沿って折り曲げるとともに、他端を折曲部６１ｂの下面と略面一となる高さ位置で屈曲して一部を折曲部６１ｂに支持させ、さらに折り曲げて平板部６１ａに当接する位置まで延ばしてなる。このような構成を有する各補強部６２、６３を本体板６１の前縁及び後縁に沿ってそれぞれ取り付けた状態において、対向する補強部本体６２ａ、６３ａの内壁６２Ａ、６３Ａの所定位置に略矩形状の係合孔６２Ｋ、６３Ｋを幅方向略中央部を挟んで左右一対にそれぞれ形成している。この一対に設けた係合孔６２Ｋ、６３Ｋは、後述する第１係合爪７２Ｋ及び第２係合爪７３Ｋ何れをも係合させ得るようにその開口寸法を設定したものである。また、天板本体６の下面側において両側縁に沿って下方へ突出させて設けられる第２補強部６４を有している。各第２補強部６４の内壁の幅方向略中央部には、他方の第２補強部に向けて突出する円柱状のロック部６４ｂをそれぞれ一体的に設けている。これら各補強部６２、６３及び各第２補強部６４によって包囲される領域に、本体板６１側に窪ませて下向きに凹陥状をなす凹部６５を形成している。なお、本体板６１の前縁に沿って設けた補強部６２は、収納部本体１の前面開口を閉止した状態において、前記左右の扉Ｄ１、Ｄ２が当たる戸当たり部として機能し、補強部本体６２ａに前記ラッチ機構Ｒの一部を構成する係留爪Ｒ１が係留可能な被係留部６２Ｒを形成している。
【００３２】
内パネル７は、前記凹部６５に収容可能なものであり、本体板６１の下面側に取り付けられるものである。この内パネル７は、図３に示すように、パネル本体７１と、パネル本体７１の前縁及び後縁の所定箇所にそれぞれ取り付けられる第１係合板７２及び第２係合板７３とを有する。
【００３３】
パネル本体７１は、略矩形の下面７１ａの前縁部及び後縁部を上方へ折り曲げて前壁７１Ａ及び後壁７１Ｂを形成するとともに、両縁部を上方へ折り曲げて側壁７１Ｃを形成している。内パネル７を前記天板本体６に取り付けた状態において、パネル本体７１の下面７１ａと、補強部６２、６３の下面６２ｃ、６３ｃとが略同一高さとなるように、前壁７１Ａ、後壁７１Ｂ及び側壁７１Ｃの各高さ寸法を適宜設定している。各側壁７１Ｃには、奥行き方向略中央部に貫通孔７１ｂを形成している。
【００３４】
第１係合板７２及び第２係合板７３は、同一の構成を有する薄板状の平板部材Ｂから成形される。詳述すると、この平板部材Ｂは、図４に示すように、パネル本体７１の前壁７１Ａ及び後壁７１Ｂより若干小さい高さ寸法を有する基板部Ｂ１と、基板部Ｂ１の両側端から側方に突出する一対の突出部Ｂ２とを一体に備えたものである（同図（ａ）参照）。第１係合板７２は、同図（ｂ−１）に正面図、同図（ｂ−２）に平面図で示すように、各突出部Ｂ２の幅方向略中央位置から先端に亘る部位を基板部Ｂ１に対して略直角に折り曲げ、両端部に一対の第１係合爪７２Ｋを形成したものであり、一方、第２係合部７３は、同図（ｃ−１）に正面図、同図（ｃ−２）に平面図で示すように、各突出部Ｂ２の基端から先端に亘る全部位を基板部Ｂ１に対して略直角にそれぞれ折り曲げ、両端部に一対の第２係合爪７３Ｋを形成している。このように成形してなる第１係合板７２と第２係合板７３とを比較した場合、第２係合爪７３Ｋの突出寸法ｄ１を、第１係合爪７２Ｋの突出寸法ｄ２より大きく、また、第２係合爪７３Ｋ間の離間距離ｄ３を、第１係合爪７２Ｋ間の離間距離ｄ４より短く設定している。しかして、パネル本体７１の前壁７１Ａに第１係合爪７２Ｋ間の離間距離ｄ４に対応させて一対の挿入孔７１ｄを形成し、各挿入孔７１ｄに、第１係合爪７２Ｋをそれぞれ挿入し、これら第１係合爪７２Ｋをパネル本体７１の前方に突出させた状態でパネル本体７１と第１係合板７２とを例えば溶接により一体的に取り付けてる。一方、パネル本体７１の後壁７１Ｂに第２係合爪７３Ｋ間の離間距離ｄ３に対応させて一対の挿入孔７１ｅを形成し、各挿入孔７１ｅに第２係合爪７３Ｋをそれぞれ挿入し、これら第２係合爪７３Ｋをパネル本体７１の後方に突出させた状態でパネル本体７１と第２係合板７３とを例えば溶接により一体的に取り付けている。
【００３５】
また、前記本体板６１において前記補強部６２、６３を設けた縁部とは異なる縁部、つまり本体板６１の両側縁部と、前記内パネル７の両側縁部との間に、内パネル７を天板本体６に固定する固定手段８を備えている。この固定手段８は、パネル本体７１の両側壁７１Ｃに形成した貫通孔７１ｂに取り付けた固定部材８１を、本体板６１の両側縁に位置する前記第２補強部６４に固定することにより、内パネル７を天板本体６に固定可能に構成したものである（図７参照）。
【００３６】
固定部材８１は、図５に示すように、例えば合成樹脂素材から成形されたものであり、板状の本体部８１ａを備えている。本体部８１ａの上面略中央位置にパネル本体７１に形成した前記貫通孔７１ｂよりも小径である回転軸８１ｂが立設されている。この回転軸８１ｂの外周面には、軸心を挟んだ対称位置に、内方（軸心方向）に弾性変形可能な肉厚を有する一対の変形部８１ｃが設けられている。この回転軸８１ｂを、本体部８１ａの略中央部に形成した開口部８１ｄに挿入すると、変形部８１ｃが開口部８１ｄを通過する際に内方に撓み変形し、所定の挿入深さに達したところでその復元力によって開口部８１ｄの開口縁に係止する。そして、本体部８１ａに一体的に取り付けた回転軸８１ｂを貫通孔７１ｂに挿入すると、変形部８１ｃが貫通孔７１ｂを通過する際に内方に若干撓み変形するとともに、その復元力によって貫通孔７１ｂの孔縁に係止する。以上の手順により、固定部材８１をパネル本体７１の側壁７１Ｃに回転可能に取り付ける。また、本体部８１ａの外周面の一部に直線状の側壁８１ｅが形成され、側壁８１ｅの一端部に半円弧状の凹溝部８１ｆが設けられている。この凹溝部８１ｆに対し回転軸８１ｂの軸心を挟んだ略対称位置に略半円弧状の把手部８１ｇを設けている。また、側壁８１ｅに対し回転軸８１ｂの軸心を挟んだ略対称位置に平面視略Ｃ字状のフック部８１ｈが設けられている。フック部８１ｈの外周面上端部には、弾性変形可能な半球状の突部８１ｉをその先端部に有するストッパ８１ｊを突出させて設けている。このストッパ８１ｊの肉厚は、本体部８１ａの肉厚より薄く設定されている。なお、固定部材８１をパネル本体７に取り付けた状態において、突部８１ｉを、前記貫通孔７１ｂの斜め上方に形成した小孔７１ｆに係止させている。
【００３７】
次に、内パネル７を天板本体６に取り付ける手順について図６及び図７を参照して説明する。なお、図７は説明の便宜上、パネル本体７１を想像線で示している。
【００３８】
先ず、凹部６５の下方に内パネル７を位置させ、先に内パネル７の後端部側を補強部６３に取り付けるため、内パネル７を前傾させた状態で、補強部６３に向けて斜め上方（図６に示す矢印Ａ方向）に押し上げ、第２係合爪７３Ｋを係合孔６３Ｋに挿入する（図６（ａ））。次いで、内パネル７が略水平姿勢となる位置まで内パネル７の前端側を上方（同図に示す矢印Ｂ方向）に回転させ、第２係合爪７３Ｋを係合孔６３Ｋに漸次深く挿入する（同図（ｂ）、（ｃ））。そして、内パネル７を補強部６２に向けて前方（同図に示す矢印Ｃ方向）に略水平にスライド移動させて、内パネル７の前方に突出する第１係合爪７２Ｋを係合孔６２Ｋに挿入し、各係合爪７２Ｋ、７３Ｋをそれぞれ対応する係合孔６２Ｋ、６３Ｋに係わり合わせる（同図（ｄ））。この状態においては、パネル本体７１の後壁７１Ｂと、補強部本体６３ａの内壁６３Ａとの間に若干の隙間Ｓ１が形成されるため、内パネル７が前後動し得る。そこで、引き続き、前記固定手段８により、内パネル７を天板本体６に対して前後動不能に固定する。具体的には、前記状態において、第２補強部６４とパネル本体７１の側壁７１ｃとの間に形成される目地Ｍから下方に突出している把手部８１ｇを図７に示す矢印Ａの方向に回転させると、ストッパ８１ｊが撓んで突部８１ｉが小孔７１ｆから離脱し、固定部材８１が回転軸８１ｂを軸として回転する（同図（ａ）参照）。そして、把手部８１ｇを目地Ｍに収納する位置まで回転させると、同図（ｂ）に示すように、フック部８１ｈが第２補強部６４に設けた前記ロック部６４ｂに引っ掛かり、固定部材８１のそれ以上の回転が禁止され内パネル７が固定される（ロック状態）。また、ほぼ同時に、突部８１ｉがストッパ８１ｊの弾性力により、パネル本体７１の貫通孔７１ｂの上方に形成した小溝７１ｇに係止する。このロック状態では、固定部材８１が前記目地Ｍに収納される。以上の手順により、内パネル７を天板本体６に取り付ける。この取付状態において、パネル本体７１の下面７１ａと、補強部６２、６３の下面６２ｃ、６３ｃとが略同一の高さ位置に位置する（図６（ｄ）参照）。
【００３９】
内パネル７を取り外すには、例えば硬貨等の円盤状の部材９を図７に示す矢印Ｂの方向から前記凹溝部８１ｆに押し当てる（同図（ｂ）参照）。すると、小溝７１ｇに係止している突部８１ｉがストッパ８１ｊの弾力性により小溝７１ｇから離脱し、固定部材８１を同図に示す矢印Ｃの方向に回転してフック部８１ｈがロック部６４ｂから離れ、前記ロック状態が解除される。同時に目地Ｍに収納されていた把手部８１ｇが目地Ｍから突出し、その把手部８１ｇを摘んで所定位置まで固定部材８１を回転させると、突部８１ｉが小孔７１ｆに係止して取付前の状態（同図（ａ））に戻る。引き続き、内パネル７を後方に移動させ、第１係合爪７２Ｋと係合孔６２Ｋとの係わり合いを解除し、内パネル７を前傾姿勢になるように回転させながら、第２係合爪７３Ｋと係合孔６３Ｋとの係わり合いをも解除することにより、内パネル７を天板本体６から取り外す。
【００４０】
このように、本実施形態に係る収納庫Ｌの天板４は、収納部本体１の上面を形成する本体板６１及びこの本体板６１の下面側において下方へ突出させて設けられる補強部６２、６３とを有する天板本体６と、本体板６１の下面側に取り付けられる内パネル７とを具備するものであり、内パネル７の下面７１ａと補強部６２、６３の下面６２ｃ、６３ｃとを略面一とした状態で内パネル７を天板本体６に取り付けているため、複数の収納庫Ｌを上下に積み重ねて使用する場合、上方に位置する収納部本体１の前面が開放した状態であっても、天板４の下面がほぼ同一高さであるため、見えがかりが良く、煩雑な印象を与えることがない。
【００４１】
また、補強部６２、６３を、前記本体板６１の前縁及び後縁に沿う位置にそれぞれ設け、これら補強部６２、６３間に凹部６５を形成し、この凹部６５内に内パネル７を収容した位置において内パネル７を天板本体６に取り付けた状態で、内パネル７の下面７１ａと補強部６２、６３の下面６２ａ、６３ａとを略同一高さとなるように内パネル７を天板本体６に取り付けているので、収納物を取り出す際に、収納物が凹部６５に引っかかることがなく、よりスムーズに収納物の出し入れを行うことができる。
【００４２】
特に、内パネル７に係合爪７２Ｋ、７３Ｋを形成し、この係合爪７２Ｋ、７３Ｋと係わり合わせるべく補強部６２、６３に係合孔６２Ｋ、６３Ｋを形成し、これら係合爪７２Ｋ、７３Ｋと係合孔６２Ｋ、６３Ｋとを係わり合わせることにより内パネル７を天板本体６に取り付けているため、簡単な作業によって内パネル７を天板本体６に取り付けることができる。
【００４３】
内パネル７が、各補強部６２、６３に向けて突出する第１係合爪７２Ｋ及び第２係合爪７３Ｋをそれぞれ一体的に有し、第２係合爪７３Ｋの突出寸法ｄ１を第１係合爪７２Ｋの突出寸法ｄ２より大きく設定し、各突出寸法ｄ１、ｄ２を相互に異ならせているため、内パネル７の前後を簡単かつ明確に識別することができ、取付作業性の向上に寄与する。また、例えば各係合爪にシールを貼ったり、刻印する等、内パネルの前後を識別するための手間を有効に省くことができる。
【００４４】
また、内パネル７が、一方の補強部６２に向けて突出する一対の第１係合爪７２Ｋと、他方の補強部６３に向けて突出する一対の第２係合爪７３Ｋとをそれぞれ一体的に有しているため、簡素な構造を用いて取付強度を有効に高めることができるとともに、第１係合爪７２Ｋ間の離間距離ｄ４と、第２係合爪７３Ｋ間の離間距離ｄ３とを相互に異ならせているため、内パネル７の前後をより簡単かつ明確に識別することができる。
【００４５】
加えて、各補強部６２、６３に前記第１係合爪７２Ｋ及び第２係合爪７３Ｋ何れをも係合させ得る係合孔６２Ｋ、６３Ｋをそれぞれ形成しているため、各補強部６２、６３に相互に異なる係合孔をそれぞれ別途形成することなく、各補強部６２、６３を共通の部材を用いて構成することができ、製作工程数の削減に役立つ。
【００４６】
これに対応して、各補強部６２、６３に左右一対の係合孔６２Ｋ、６３Ｋをそれぞれ形成し、一対の各係合爪７２Ｋ、７３Ｋをそれぞれ一対の係合孔６２Ｋ、６３Ｋにそれぞれ係合させているため、前記同様、簡素な構造を用いて取付強度を有効に高めることができる。
【００４７】
内パネル７が、パネル本体７１と、パネル本体７１の前縁及び後縁の所定箇所に取り付けられる一組の係合板７２、７３とを具備し、各係合板７２、７３の端部を屈曲して各補強部６２、６３に向けて突出させることにより一方の係合板７２に第１係合爪７２Ｋを形成するとともに、他方の係合板７３に前記第２係合爪７３Ｋを形成しているため、両端部を折り曲げるだけという極めて簡単な作業により各係合爪７２Ｋ、７３Ｋを形成することができる。
【００４８】
加えて、一組の係合板７２、７３が、同一の構成を有する薄板状の平板部材Ｂからそれぞれ成形されたものであるため、各係合板７２、７３を同じパーツを共用することができ、それぞれ別々のパーツから成形する場合と比較して、コストの削減に資する。
【００４９】
また、天板本体６の側縁部と内パネル７の側縁部との間に、内パネル７を天板本体６に固定する固定手段８を備えているため、係合爪７２Ｋ、７３Ｋと係合孔６２Ｋ、６３Ｋとをそれぞれ係わり合わせた状態において内パネル７が若干前後動し得る構成であっても、固定手段８により内パネル７の前後動を禁止することができ、より良好な取付状態を実現することができる。
【００５０】
特に、固定手段８が、内パネル７を固定している状態ではパネル本体７１の側壁７１Ｃと第２補強部６４の間に形成される目地Ｍに収納される固定部材８１を有するものであるため、ロック状態においては、収納空間Ｓに固定部材８１の全部または一部が突出することなく、収納物と固定部材８１とが干渉することを防止することができる。また、収納空間Ｓが縮小されることもなく、さらに美観を損なうこともない。また、固定部材８１が、ロック状態では前記目地Ｍに収納され、非ロック状態では目地Ｍから突出される把手部８１ｇを有するものであるため、前記同様、ロック状態においては、収納空間Ｓを縮小することなく、良好な美観を維持することができるとともに、把手部８１を操作することにより、非ロックからロック状態にすることが可能であり、極めて使い勝手のよいものとすることができる。
【００５１】
特に、本実施形態においては、固定部材８１を回転させるだけで内パネル７を固定させたり、ロック状態を解除させることができ、しかもロック解除操作は凹溝部８１ｆを押圧するだけでよいため、内パネル７を天板本体６に取り付ける際の着脱作業をより簡単かつ確実に行うことができる。
【００５２】
なお、本実施形態に係る収納庫Ｌは、前記収納部本体１の底板５が、前記天板４と略同一の構成を有するものである。
【００５３】
簡単に説明すると、前記収納部本体１の底板５は、図８に示すように、前記収納部本体１の底面を形成する本体板５１１及びこの本体板５１１の上面側において前縁及び後縁に沿う位置に上方へ突出させて設けられる補強部５１２、５１３とを有する底板本体５１と、本体板５１１の上面側に取り付けられる内パネル５２とを具備するものである。各補強部５１２、５１３を本体板５１１に取り付けた状態において対向する補強部５１２、５１３の内壁には、それぞれ左右一対の係合孔５１２Ｋ、５１３Ｋを形成している。
【００５４】
内パネル５２は、前記内パネル７の奥行き寸法より若干奥行き寸法を大きく設定したものであり、前方に向けて突出させた第１係合爪５２１と、後方に向けて突出させた第２係合爪５２２とを一体的に有する。また、内パネル５２の側壁には、固定部材８１を回転可能に取り付けている。
【００５５】
内パネル５２を、補強部５１２、５１３間に形成された凹部５１４に取り付けるには、先ず、凹部５１４の上方に内パネル５２を位置させ、内パネル５２を後傾させた状態で、内パネル５２の後端側から補強部５１３に係わり合わせるようにして第２係合爪５２２を係合孔５１３Ｋに挿入する。次いで、内パネル５２を略水平姿勢となる位置まで回転させると、その動作に伴って第２係合爪５２２が係合孔５１３Ｋに漸次深く挿入され、内パネル５２を前方に移動することにより、第１係合爪５２１を係合孔５１２Ｋに挿入させ、各係合爪５２１、５２２をそれぞれ対応する係合孔５１２Ｋ、５１３Ｋに係わり合わせる。この状態において、内パネル５２の奥行き寸法を前記内パネル７の奥行き寸法より大きく設定しているため、内パネル５２の後壁と、補強部５１３との間に形成される隙間は、天板４における前記隙間Ｓ１と比較して小さくなり、この隙間Ｓ２に収納物が落下したり、収納物を取り出す際に収納物が隙間に引っかかることを極力回避することができる。なお、本実施形態においても、固定部材８１を用いて、内パネル５２を底板本体５１に対して前後動不能に固定する。以上の手順により、内パネル５２を底板本体５１に取り付けた状態において、内パネル５２の上面５２ａと、補強部５１２、５１３の上面５１２ａ、５１３ａとが略同一高さ位置に位置するように設定している。
【００５６】
内パネル５２を底板本体５１から取り外すには、上記と逆の操作を行えばよい。
【００５７】
このように、本実施形態に係る収納庫Ｌは、前記天板４の構成に加え、収納部本体１の底板５が、収納部本体１の底面を形成する本体板５１１及びこの本体板５１１の上面側に上方へ突出させて設けられる補強部５１２、５１３とを有する底板本体５１と、本体板５１１の上面側に取り付けられる内パネル５２とを具備するものであり、内パネル５２の上面５１ａと補強部５１２、５１３の上面５１２ａ、５１３ａとを略面一とした状態で内パネル５２を底板本体５１に取り付けているため、天板４のみならず、底板５の見えがかりをも良くすることができる。
【００５８】
また、補強部５１２、５１３を、本体板５１１の前縁及び後縁に沿う位置にそれぞれ設け、これら補強部５１２、５１３間に凹部５１４を形成し、凹部５１４内に内パネル５２を収容した位置において内パネル５２を底板本体５１に取り付けた状態で、内パネル５２の上面５１ａと補強部５１２、５１３の上面５１２ａ、５１３ａとを略面一とした状態で内パネル５２を底板本体５１に取り付けているので、収納物を取り出す際に、収納物が凹部５１４に引っかかることがなく、よりスムーズに収納物の出し入れを行うことができる。
【００５９】
なお、本発明は、以上に詳述した実施形態に限られるものではない。
【００６０】
例えば、補強部を本体板の両側縁に沿って設け、これら各補強部に係合孔に形成し、内パネルの両側に、側方に突出する係合爪を設けたものであってもよい。
【００６１】
勿論、各係合爪は左右一対のものに限らず、単数のものや、また２以上有するものであってもよく、係合爪に合わせて、係合孔の数も適宜増減すれば好適に用いることができる。
【００６２】
また、補強部に係合爪を設けるとともに、内パネルに、係合爪に係合可能な係合孔を形成し、係合爪と係合孔を係わり合わせることにより内パネルを天板本体または底板本体に取り付けるようにしても構わない。
【００６３】
また、パネル部材の前後を間違えて取り付けることを確実に防止するためには、一方の補強部に、第１係合爪のみを係合させる第１係合孔を設けるとともに、他方の補強部に、第２係合爪のみを係合させる第２係合孔を設ければよい。
【００６４】
さらに、一方の補強部に、第１係合爪間の離間距離に対応させて一対の第１係合孔を設けるとともに、他方の補強部に、前記第２係合爪間の離間距離に対応させて一対の第２係合孔を設ければ、パネル部材の前後を間違えて取り付けることを確実に防止することができるとともに、取付強度をも有効に高めることができる。
【００６５】
また、固定手段として、補強部にねじ孔を設けるとともに、内パネルにねじ挿通孔を形成し、ねじ孔とねじ合わせ可能なネジをねじ挿通孔に挿入し、ねじ孔にねじ合わせすることにより、内パネルを天板本体または底板本体に固定可能に構成したものも挙げられる。
【００６６】
底板の本体板に取り付けられる内パネルは、天板の本体板に取り付けられる内パネルと異なり、下方に落下することがないため、補強部間の内寸と略同一の奥行き寸法を有する内パネルを補強部間に嵌め込み、固定手段も利用して固定するようにしてもよい。この場合には、内パネルに係合爪を設ける必要がなく、部品点数の削減及びコストの削減を有効に図ることができる。なお、天板の本体板に取り付けられ内パネルについても、係合爪を設けることなく、固定手段のみで固定するようにしても構わない。
【００６７】
また、収納家具として、上記実施形態における収納庫の代わりに、ロッカーやキャビネット等を用いてもよい。
【００６８】
その他、各部の具体的構成についても上記実施形態に限られるものではなく、本発明の趣旨を逸脱しない範囲で種々変形が可能である。
【００６９】
【発明の効果】
以上説明したように本発明によれば、複数の収納家具を上下に積み重ねて使用する場合、上方に位置する収納部本体の前面が開放した状態であっても、天板の下面がほぼ同一高さであるため、見えがかりが良く、煩雑な印象を与えることがなく、意匠的にも優れたものである。また、収納物を取り出す際に、収納物が天板下面の凹凸に引っかかることがなく、よりスムーズに収納物の出し入れを行うことができる。
【図面の簡単な説明】
【図１】本発明の一実施形態における開口を閉止した状態の収納具を示す全体斜視図。
【図２】同実施形態における開口を開放した状態の収納具を一部省略して示す斜視図。
【図３】同実施形態における内パネルの分解斜視図。
【図４】同実施形態における各係合板の正面図及び平面図。
【図５】同実施形態における固定部材の全体斜視図。
【図６】同実施形態における作用説明図。
【図７】同実施形態における作用説明図。
【図８】同実施形態における開口を開放した状態の収納具を一部省略して示す斜視図。
【符号の説明】
Ｌ…収納家具（収納庫）
１…収納部本体
４…天板
５…底板
５１…底板本体
５１１…本体板
５１２、５１３…補強部
５２…内パネル
６…天板本体
６１…本体板
６２、６３…補強部
６２Ｋ、６３Ｋ…係合孔
６５…凹部
７…内パネル
７２Ｋ、７３Ｋ…係合爪（第１係合爪、第２係合爪）
７１…パネル本体
７２、７３…係合板
８…固定手段
８１…固定部材
８１ｇ…把手部
Ｂ…薄板状の部材（平板部材）
Ｍ…目地
【図１】
2004261388.tif 000003
【図２】
2004261388.tif 000004
【図３】
2004261388.tif 000005
【図４】
2004261388.tif 000006
【図５】
2004261388.tif 000007
【図６】
2004261388.tif 000008
【図７】
2004261388.tif 000009
【図８】
2004261388.tif 000010